(57)【要約】【課題】構成機構が簡易であって、設置箇所の選定が限定することを要せず、かつ設置・構築費用、維持管理費も低減する避難台を提供して津波警報の発報時に、高所仮留所に避難させる。【解決手段】津波警報の発報時に避難する避難台１であって、脚柱２に周設され地表３から上方に延びる螺旋通路４と、螺旋通路を昇って到達する高所仮留所５ａ、５ｂ、５ｃとを備える。【選択図】図１
0003175840.tif 000002
【実用新案登録請求の範囲】
【請求項１】
津波警報の発報時に避難する避難台であって、脚柱に周設され地表から上方に延びる螺旋通路と、前記螺旋通路を昇って到達する高所仮留所とを備えることを特徴とする避難台。
【請求項２】
前記螺旋通路は階段で形成されていることを特徴とする請求項１記載の避難台。
【請求項３】
前記螺旋通路の表面は段差を無くしたバリアフリーとし、滑り防止材が粘着されていることを特徴とする請求項１記載の避難台。
【請求項４】
前記脚柱の上部には前記高所仮留所上方において再生可能エネルギー発電装置としてソーラーパネルが備えられていることを特徴とする請求項１記載の避難台。
【請求項５】
前記脚柱の上部には前記高所仮留所上方において再生可能エネルギー発電装置として風車が備えられていることを特徴とする請求項１記載の避難台。
【請求項６】
前記風車は垂直軸型風車であることを特徴とする請求項５記載の避難台。
【請求項７】
前記風車は水平軸型風車であることを特徴とする請求項５記載の避難台。
【考案の詳細な説明】
【技術分野】
【０００１】
本考案は避難台に係わり、特に構成機構が簡易であって、設置箇所の選定が限定することを要せず、かつ設置・構築費用、維持管理費も低減するとともに、津波警報の発報時に、脚柱に周設した螺旋通路を昇って高所仮留所に避難する避難台に関する。
【背景技術】
【０００２】
従来から、津波警報の発報時に通路を昇って高所仮留所に避難する津波・洪水等の非常事態からの避難装置、非常用防護装置、津波避難用建造物が提案されている（例えば、特許文献１−特許文献３）。
【先行技術文献】
【特許文献】
【０００３】
【特許文献１】特許第３７０２３９１号公報（図２、図１６）
【特許文献２】特許第４８３５９０３号公報（図４９）
【特許文献３】実用新案登録第３１６９２３１号公報（図１−図２）
【考案の概要】
【考案が解決しようとする課題】
【０００４】
しかしながら、このような避難施設では、構成機構が膨大煩瑣となって、設置箇所の選定が限定せざるを得ないことになり、かつ設置・構築費用、維持管理費も嵩張る状況をもたらすという難点が惹起する。
【０００５】
本考案は、これらの難点を解決するためになされたもので、人間工学的手法を採用することにより、構成機構が簡易であって、設置箇所の選定が限定することを要せず、かつ設置・構築費用、維持管理費も低減するとともに、津波警報の発報時に、脚柱に周設した螺旋通路を昇って高所仮留所に避難する避難台を提供することを目的とする。
【課題を解決するための手段】
【０００６】
このような目的を達成するため、本考案の避難台は、津波警報の発報時に避難する避難台であって、脚柱に周設され地表から上方に延びる螺旋通路と、螺旋通路を昇って到達する高所仮留所とを備えている。
【０００７】
本考案の避難台において、螺旋通路は階段で形成されている。
【０００８】
本考案の避難台において、螺旋通路の表面は段差を無くしたバリアフリーとし、滑り防止材が粘着されている。
【０００９】
本考案の避難台において、脚柱の上部には高所仮留所上方において再生可能エネルギー発電装置としてソーラーパネルが備えられている。
【００１０】
本考案の避難台において、脚柱の上部には高所仮留所上方において再生可能エネルギー発電装置として風車が備えられている。
【００１１】
本考案の避難台において、風車は垂直軸型風車である。
【００１２】
本考案の避難台において、風車は水平軸型風車である。
【考案の効果】
【００１３】
本考案の避難台によれば、構成機構が簡易であって、設置箇所の選定が限定することを要せず、かつ設置・構築費用、維持管理費も低減する好ましい避難台が提供され、津波警報の発報時に、脚柱に周設した螺旋通路を昇って高所仮留所に避難できるというメリットを齎すものである。
【図面の簡単な説明】
【００１４】
【図１】（ａ）は本考案の第１の形態による避難台の斜視図、（ｂ）は第２の形態による避難台の斜視図を示す。
【考案を実施するための形態】
【００１５】
以下、本考案の避難台を好ましい実施の形態例について図面を参照して詳述する。
【００１６】
図１（ａ）、（ｂ）に示すように、本考案の避難台１は、津波警報の発報時に避難する避難塔である。避難台１は、脚柱２に周設され地表３から上方に延びる螺旋通路４と、螺旋通路４を昇って到達する高所仮留所５ａ、５ｂ、５ｃとを備えている。
【００１７】
脚柱２の基部１３は地表３から地中に埋設された基礎に固定され、脚柱２は風雪や地震、津波によって倒壊しない充分な強度で立設されている。
【００１８】
高所仮留所５ａ、５ｂ、５ｃは順次高さが異なる高い位置に設置されている。
【００１９】
螺旋通路４は地表３の入口６ａから高所仮留所５ａの出口７ａに螺旋状に延び、高所仮留所５ａの入口６ｂから高所仮留所５ｂの出口７ｂに螺旋状に延び、高所仮留所５ｂの入口６ｃから高所仮留所５ｃの出口７ｃに螺旋状に延びている。
【００２０】
本考案の避難台１において、図１（ａ）、（ｂ）に示すように、螺旋通路４は階段１２で形成されている。
【００２１】
本考案の避難台１において、別法として、螺旋通路４の表面は階段のような段差を無くしたバリアフリーとし、滑り防止材が粘着されている。螺旋通路４の階段を比較的小幅の段差で形成し、又は段差を無くしたバリアフリーとし、滑り防止材を粘着した螺旋通路４に形成することにより非健者や老人でも歩行し或いは仮令四つん這いで這ってでも非常時に確実に昇ることができる。
【００２２】
本考案の避難台１において、高所仮留所５ｃの高さは、震源地からの距離、防波堤の設置の有無、地形等の緒条件によって異なる。過去最大級である最新の東日本津波被害の測定結果データによれば、３県において、津波の高さは１０ｍ〜４０ｍであった。この事実を考慮して、例えば避難台１を設置する地表３の位置が海抜５ｍの高さに配置していれば、高所仮留所５ｃの高さは地表３から３５ｍの位置に配置できる。また、例えば避難台１を設置する地表３の位置が海抜１０ｍの高さに配置していれば、高所仮留所５ｃの高さは地表３から３０ｍの位置に配置できる。何れにしても、高所仮留所５ｃの高さは、過去最大級である最新の東日本津波被害の測定結果データによれば、海抜２０〜４０ｍ以上、最悪の条件を考慮して４０ｍ以上の高さに配置することが好ましい。
【００２３】
本考案の避難台１において、脚柱２の上部には高所仮留所５ｃ上方において再生可能エネルギー発電装置としてソーラーパネル８が備えられている。
【００２４】
本考案の避難台１において、脚柱２の上部には高所仮留所５ｃ上方において再生可能エネルギー発電装置として風車９が備えられている。
【００２５】
本考案の避難台１において、風車９としては、Ｓ形ロータ、クロスフロー形風車、サボニウス形風車、形風車、形風車、形風車、ジャイロミル形風車、直線翼垂直軸形風車、図１（ａ）に示すようなダリウス形風車のような垂直軸型風車１０を採用することができる。
【００２６】
本考案の避難台１において、風車９としては、オランダ形風車、多翼形風車、セイルウイング形風車、図１（ｂ）に示すようなプロペラ形風車のような水平軸型風車１１を採用することができる。
【００２７】
ソーラーパネル８によって発電された直流源及び風車９の回転で直流発電機が回転して発電された直流源を調整・合成する一次電源部、この電源部からの出力を蓄電する蓄電池、この蓄電池からの出力をＤＣ／ＡＣ変換し、商用電圧に変電して外部に給電する二次電源部が、来襲する虞がある津波を考慮すれば、例えば高所仮留所５ｃに設置される。
【００２８】
二次電源部から高所仮留所５ｃに配電して、高所仮留所５ｃに複数のプラグを有するコンセントを設けることにより、携帯電話、携帯ラジオ、携帯テレビ等に内蔵されている蓄電池に充電可能となる。
【００２９】
このように構成された避難台１では、その構成機構が極めて簡易であって、設置箇所は狭い箇所でもよいのでその選定が限定することを要せず、かつ設置費用及び構築費用が低廉であり、修理・修繕等の維持管理費も低減する。
【００３０】
この避難台１において、津波警報の発報の際には、脚柱２に周設した螺旋通路４を昇って安全、確実に高所仮留所５ａ、５ｂ、５ｃに避難できる。この場合、来襲する津波の高さに応じて、高所仮留所５ａ、高所仮留所５ｂ、高所仮留所５ｃに順次移動できる。
【００３１】
以上のように構成された避難台１によれば、構成機構が簡易であって、設置箇所の選定が限定することを要せず、かつ設置・構築費用、維持管理費も低減する好ましい避難施設が提供され、津波警報の発報時に、脚柱に周設した螺旋通路を昇って高所仮留所に避難できるというメリットを齎すものである。
【産業上の利用可能性】
【００３２】
本考案の避難台は、津波が来襲する虞がある海浜の近傍地域に設置され、津波警報の発報時に、脚柱に周設した螺旋通路を昇って高所仮留所に避難する非常時対策として好適に適用可能である。
【符号の説明】
【００３３】
１・・・避難台
２・・・脚柱
３・・・地表
４・・・螺旋通路
５ａ、５ｂ、５ｃ・・・高所仮留所
８・・・ソーラーパネル
９・・・風車
１０・・・垂直軸型風車
１１・・・水平軸型風車
１２・・・階段
【図１】
0003175840.tif 000003